(57)【要約】【課題】タッチパネルに不具合が生じた場合にも、ユーザが、容易にしかも短時間で、意図する操作を行うことができる操作装置を提案する。【解決手段】少なくとも操作ボタンＢ１〜Ｂ７を表示面に表示する表示部１１と前記表示面に対するユーザの操作を検知する操作検知部１２とを併せ持つタッチパネル１ａと、前記操作検知部１２に異常があるとき該異常を検出する異常検出部とを備える操作装置であって、前記異常検出部が、前記操作検知部１２の一部に異常があり且つ当該異常箇所以外の正常部分は使用可能であると判断したとき、前記表示面のうち前記異常箇所に対応する位置に表示されていた第１操作ボタンＢ２を、前記正常部分に対応する位置に表示させるように前記表示部１１を制御する操作表示制御部を備える。【選択図】図３
2009003756.tif 000002
【特許請求の範囲】
【請求項１】
少なくとも操作ボタンを表示面に表示する表示部と前記表示面に対するユーザの操作を検知する操作検知部とを併せ持つタッチパネルと、前記操作検知部に異常があるとき該異常を検出する異常検出部とを備える操作装置であって、
前記異常検出部が、前記操作検知部の一部に異常があり且つ当該異常箇所以外の正常部分は使用可能であると判断したとき、前記表示面のうち前記異常箇所に対応する位置に表示されていた第１操作ボタンを、前記正常部分に対応する位置に表示させるように前記表示部を制御する操作表示制御部を備えることを特徴とする操作装置。
【請求項２】
前記操作表示制御部は、前記第１操作ボタンを前記正常部分のうち空き領域に表示させることを特徴とする請求項１に記載の操作装置。
【請求項３】
前記操作表示制御部は、前記第１操作ボタンを前記操作ボタンのうち使用頻度が低い第２操作ボタンに替えて表示させることを特徴とする請求項１に記載の操作装置。
【請求項４】
請求項１から３のいずれかに記載の操作装置を備えることを特徴とする画像形成装置。
【発明の詳細な説明】
【技術分野】
【０００１】
本発明は、タッチパネルを備える操作装置及び画像形成装置に関する。
【背景技術】
【０００２】
従来、タッチパネルを備えた操作装置がある。タッチパネルは、特定の箇所の使用頻度が高かったり、強すぎる押圧力で操作されたり、或いはペン先等の鋭いもので操作されたりすることによって、部分的に損傷してしまうことがある。この場合には、損傷箇所への操作を検知できないがその他の箇所には異常がないという半故障状態となる。
【０００３】
下記特許文献１には、上記のような半故障状態及び故障状態を検出する手法が開示されている。即ち、予め定めた所定の時期に、操作ボタン毎の押圧回数カウント値を読み出し、操作ボタン毎に設定されていた許容値と比較し、押圧回数カウント値が許容値未満か否かを判定し、許容値以上ならば当該操作ボタンに不具合が生じているおそれがあることを管理者に通知するというものである。
【０００４】
また、下記特許文献２には、タッチパネルが故障中の場合等、タッチパネルが操作できない状態にあるときに、ユーザの操作を受け付けるための手法が開示されている。
即ち、操作装置が、タッチパネル画面に、操作ボタンと共にカーソルを表示し、タッチパネル近傍に設けられたハードキーへの操作により、操作ボタン上をジャンプするようにカーソルを移動させ、決定ボタンを押下すると、カーソルが乗っている操作ボタンに割り当てられた機能が実行されるというものである。
【特許文献１】特開２００４−２２０５０７号公報
【特許文献２】特開平２−９３８１９号公報
【発明の開示】
【発明が解決しようとする課題】
【０００５】
上記特許文献１に記載の技術では、タッチパネルに不具合が生じても管理者に通知するだけなので、修理が済むまで、ユーザは操作を行うことができないという問題がある。
また、上記特許文献２に記載の技術では、カーソルを移動させる操作のためにハードキーを押下する回数が多くなってしまい、操作に時間がかかってしまうので、好ましくない。
【０００６】
本発明は、上述した事情に鑑みてなされたもので、タッチパネルに不具合が生じた場合にも、ユーザが、容易にしかも短時間で、意図する操作を行うことができる操作装置を提案することを目的とする。
【課題を解決するための手段】
【０００７】
上記課題を解決するために、本発明に係る操作装置及び画像形成装置では、以下の手段を採用した。
第１の発明としては、少なくとも操作ボタンを表示面に表示する表示部と前記表示面に対するユーザの操作を検知する操作検知部とを併せ持つタッチパネルと、前記操作検知部に異常があるとき該異常を検出する異常検出部とを備える操作装置であって、前記異常検出部が、前記操作検知部の一部に異常があり且つ当該異常箇所以外の正常部分は使用可能であると判断したとき、前記表示面のうち前記異常箇所に対応する位置に表示されていた第１操作ボタンを、前記正常部分に対応する位置に表示させるように前記表示部を制御する操作表示制御部を備えることを特徴とするものを採用した。
【０００８】
次に、上記発明において、前記操作表示制御部は、前記第１操作ボタンを前記正常部分のうち空き領域に表示させるものを採用した。
【０００９】
また、上記発明において、前記操作表示制御部は、前記第１操作ボタンを前記操作ボタンのうち使用頻度が低い第２操作ボタンに替えて表示させるものを採用した。
【００１０】
そして、本発明に係る画像形成装置では、第２の発明として、上記第１の発明に係る操作装置を備えることを特徴とするものを採用した。
【発明の効果】
【００１１】
本発明によれば、タッチパネルの一部に異常が発生したとき、その部分に配されていた操作ボタンを正常部分に移動させるので、タッチパネルの異常箇所を避けて操作ボタンを配した画面を使用することができる。これにより、タッチパネルが半故障状態であっても修理するまでタッチパネルによる操作を継続することができる。
したがって、タッチパネルに不具合が生じた場合にも、ユーザが、容易にしかも短時間で、意図する操作を行うことができる。
【発明を実施するための最良の形態】
【００１２】
以下、本発明の一実施形態について図面を参照して説明する。
図１は、本発明の実施形態に係る複写機Ｃの機能構成を示すブロック図である。図１に示すように、本複写機Ｃ（画像形成装置）は、操作表示部１、画像読取部２、画像記憶部３、画像処理部４、印刷部５及び制御部６を備えている。
【００１３】
操作表示部１（操作装置）は、図示するように、タッチパネル１ａ、操作キー１ｂ、操作表示制御部１ｃ及び異常検出部１ｄを備え、ユーザと本複写機Ｃとを関係付けるマンマシンインタフェースとして機能する。
【００１４】
タッチパネル１ａは、周知のように表示パネル１１の表示面に抵抗膜方式等の透明な面状押圧センサ１２を設けたものである。
表示パネル１１（表示部）は、操作表示制御部１ｃによる制御の下に、各種機能がそれぞれ割り当てられた複数の操作ボタンＢを所定のレイアウトで表示する。
面状押圧センサ（操作検知部）１２は、ユーザが操作ボタンＢを指等で押圧したときに、押圧位置（押圧座標）を示す操作信号を操作表示制御部１ｃに出力する。
【００１５】
操作キー１ｂは、例えば電源キーやコピー開始キー等、タッチパネル１ａに表示される操作ボタンＢ以外の操作キー（ハードウエアキー）である。
タッチパネル１ａに表示される操作ボタンＢは、操作表示制御部１ｃが所定のプログラムに基づいてソフトウエア的に表示パネルに表示させるものであるが、操作キー１ｂは、ハードウエアキーとして物理的に備えられたものであり、ユーザの操作に基づいた操作信号を操作表示制御部１ｃに出力する。
【００１６】
操作表示制御部１ｃは、制御部６による制御の下で、上記タッチパネル１ａ及び操作キー１ｂを制御する制御装置であり、ＭＰＵ（Micro Processing Unit）、内部メモリ並びにタッチパネル１ａ、操作キー１ｂ及び制御部６と各種信号の授受を行うインタフェース回路等から構成されている。
この操作表示制御部１ｃは、内部メモリに記憶された操作表示制御プログラム、タッチパネル１ａ及び操作キー１ｂから入力される操作信号及び制御部６から入力される制御指令に基づいて、タッチパネル１ａの操作表示制御やユーザの操作指示の制御部６への伝達を行う。
【００１７】
より具体的には、操作表示制御部１ｃは、制御部６から入力される制御指令に基づいてタッチパネル１ａ上に表示する操作ボタンＢの種類やレイアウトを設定すると共に、タッチパネル１ａから入力される操作信号または操作キー１ｂから入力される操作信号に基づいて何れの操作ボタンＢが操作されたかを判定し、ユーザの操作指示として制御部６に出力する。
【００１８】
異常検出部１ｄは、タッチパネル１ａの面状押圧センサ１２に異常が発生した場合に、異常を検出し、異常検出を示す信号を操作表示制御部１ｃに出力する。
面状押圧センサ１２の異常検出の手法として、具体的には様々な手法が考えられるが、例えば、以下のようなものがある。
【００１９】
まず、異常検出部１ｄは、面状押圧センサ１２の各座標について、押圧検出の都度カウント値を積算した押圧検出回数を履歴として残す。押圧検出回数は、積算し続けてもよいし、所定のタイミングでリセットしてもよい。
そして、異常検出部１ｄは、所定の周期で押圧検出回数を確認する。このとき、異常検出部１ｄは、値が他所に比して極端に少なかったり或いは多かったりする座標が所定面積内に所定割合以上存在すると、その座標範囲に異常が発生していると判断し、操作表示制御部１ｃに異常箇所を連絡する。
このようにして、面状押圧センサ１２の異常が検出される。
【００２０】
画像読取部２は、制御部６から入力される制御指令に基づいてＡＤＦ（Auto Document Feeder）によって自動給紙される原稿或いはプラテンガラス上に載置された原稿の画像（原稿画像）をラインセンサで読み取って画像データ（原稿画像データ）に変換するものであり、この原稿画像データを画像記憶部３に出力する。
画像記憶部３は、半導体メモリ或いはハードディスク装置等であり、制御部６から入力される制御指令に基づいて上記原稿画像データを記憶すると共に当該原稿画像データを読み出して画像処理部４に出力する。
【００２１】
画像処理部４は、制御部６から入力される制御指令に基づいて原稿画像データに必要に応じて各種画像処理を施すと共に原稿画像データを印刷部５の印刷形式の画像データに変換して印刷部５に出力する。上記画像処理には拡大縮小印刷に対応した画像処理等がある。
画像読取部２がカラー原稿を読み取った場合、画像記憶部３から画像処理部４に入力される原稿画像データは光の三原色に対応したＲＧＢ画像データ（カラー画像データ）となるが、画像処理部４は、このようなＲＧＢ画像データを印刷部５の印刷形式に対応した画像データ、例えばＹＭＣＫ画像データ、つまりＹ（イエロー）、Ｍ（マゼンタ）、Ｃ（シアン）及びＫ（黒）を基準色とする画像データに変換して印刷部５に出力する。
【００２２】
印刷部５は、制御部６から入力される制御指令に基づいて用紙カセットから給紙された紙上に、上記画像処理部４から入力された印刷形式の画像データに基づく原稿画像を印刷する。この印刷部５は、例えば上記基準色のトナーに対応した４つの現像装置が二次転写ベルト上に配列したタンデム方式の印刷装置であり、画像処理部４から入力されたＹＭＣＫ画像データに基づいて紙上に原稿画像をカラー印刷する。
【００２３】
制御部６は、ＭＰＵ（Micro Processing Unit）、内部メモリ並びに上記操作表示部１、画像読取部２、画像記憶部３、画像処理部４及び印刷部５と各種信号の授受を行うインタフェース回路等から構成されており、内部メモリに予め記憶された制御プログラム及び上記操作表示部１から入力される操作指示に基づいて本複写機の全体動作を制御するものである。制御部６と操作表示部１の上記操作表示制御部１ｃとが、所定の通信形式で各種信号を送受信することにより、制御部６は、操作表示部１の動作状態を把握すると共に制御する。
【００２４】
次に、本複写機の要部動作について、図２のフローチャートに沿って詳しく説明する。また、図３及び図４は、タッチパネル１ａの表示例を示す図である。
まず、異常検出部１ｄが異常を検出し異常検出信号を制御部６へ出力すると、異常検出信号を入力された制御部６は、異常が発生したと判断し（ステップＳ１）、面状押圧センサ１２の異常箇所以外の正常部分に、空き領域があるか否かを判断する（ステップＳ２）。
【００２５】
上記ステップ２において、面状押圧センサ１２に空き領域がある場合には（ステップＳ２のＹｅｓ）、操作表示制御部１ｃは、異常部分に表示されていた操作ボタンＢ（第１操作ボタン）を上記空き領域に表示させる（ステップＳ３）。
【００２６】
一方、ステップ２において、面状押圧センサ１２に空き領域がない場合には（ステップＳ２のＮｏ）、操作表示制御部１ｃは、操作ボタンＢのうち使用頻度が最も低い操作ボタンＢ（第２操作ボタン）を探し（ステップＳ４）、この操作ボタンＢに替えて、異常部分に表示されていた操作ボタンＢを表示させる（ステップＳ５）。
【００２７】
上記のステップＳ３とステップＳ４，Ｓ５の処理の具体例を、図３及び図４を参照して下記に説明する。
【００２８】
ステップＳ３、即ち、図３（ａ）に示すように、タッチパネル１ａの表示パネル１１に操作ボタンＢ１〜Ｂ７が表示され、余白Ｓ（即ち空き領域）が残っている場合（ステップＳ２のＹｅｓ）の面状押圧センサ１２の異常発生時について説明する。
例えば、面状押圧センサ１２の「拡大・縮小」操作ボタンＢ２が表示された位置に異常が発生すると、異常検出部１ｄが異常を検出し、異常検出を示す信号を操作表示制御部１ｃに出力する。当該信号を入力された操作表示制御部１ｃは、図３（ｂ）に示すように、「拡大・縮小」操作ボタンＢ２の表示を止め、代わりに、余白Ｓに「拡大・縮小」操作ボタンＢ２１を表示させる（ステップＳ３）。
なお、操作ボタンＢ２が表示されていた位置には、図３（ｂ）に示すように、ユーザに操作不能であると思わせる画像を表示してもよいし、「ここは操作できません」等と文字を表示してもよいし、或いは何も表示しないこととしてもよい。
【００２９】
次に、ステップＳ４，Ｓ５、即ち、図４（ａ）に示すように、タッチパネル１ａの表示パネル１１に、余白なく操作ボタンＢ１〜Ｂ９が表示されている場合（ステップＳ２のＮｏ）の面状押圧センサ１２の異常発生時について説明する。
例えば、面状押圧センサ１２の「拡大・縮小」操作ボタンＢ２が表示された位置に異常が発生すると、異常検出部１ｄが異常を検出し、異常検出を示す信号を操作表示制御部１ｃに出力する。当該信号を入力された操作表示制御部１ｃは、まず、使用頻度が最も低い操作ボタンＢを探す（ステップＳ４）。
続いて、図４（ｂ）に示すように、「拡大・縮小」操作ボタンＢ２の表示を止め、ステップＳ４で探した操作ボタンＢ（ここでは「ネガポジ反転」操作ボタンＢ９）に替えて「拡大・縮小」操作ボタンＢ２２を表示させる（ステップＳ５）。
ここで、使用頻度が最も低い操作ボタンＢを選び出すにあたっては、各操作ボタンＢ１〜Ｂ９の使用頻度は、異常検出部１ｄが履歴として記録している押圧検出回数を利用する。
【００３０】
このように、本実施形態によれば、タッチパネル１ａの一部に異常が発生したとき、その部分に配されていた操作ボタンＢを正常部分に移動させるので、タッチパネル１ａの異常箇所を避けて操作ボタンＢを配した画面を使用することができる。これにより、タッチパネル１ａが半故障状態であっても修理するまでタッチパネル１ａによる操作を継続することができる。
したがって、タッチパネル１ａに不具合が生じた場合にも、ユーザが、容易にしかも短時間で、意図する操作を行うことができる。
【００３１】
なお、操作表示制御部１ｃは、上記処理を行うと共に制御部６にその旨を示す信号を出力し、該信号を入力された制御部６が、自動的にサービスコールを発するようにしてもよい。或いは、ユーザに対してサービスマンに連絡をするよう、表示パネル１１にメッセージを表示する等の手段によって通知してもよい。
【図面の簡単な説明】
【００３２】
【図１】本発明の一実施形態における複写機の機能構成を示すブロック図である。
【図２】上記実施形態における複写機の要部動作を示すフローチャートである。
【図３】上記実施形態におけるタッチパネルの表示例を示す図である。
【図４】上記実施形態におけるタッチパネルの表示例を示す図である。
【符号の説明】
【００３３】
Ｃ…複写機（画像形成装置）、  １…操作表示部（操作装置）、  １ａ…タッチパネル、  １ｂ…操作キー、  １ｃ…操作表示制御部、  １ｄ…異常検出部、  ２…画像読取部、  ３…画像記憶部、  ４…画像処理部、  ５…印刷部、  ６…制御部、  １１…表示パネル（表示部）、  １２…面状押圧センサ（操作検知部）、  Ｂ、Ｂ１〜Ｂ７、Ｂ１〜Ｂ９、Ｂ２１、Ｂ２２…操作ボタン、  Ｓ…余白（正常部分、空き領域）
【図１】
2009003756.tif 000003
【図２】
2009003756.tif 000004
【図３】
2009003756.tif 000005
【図４】
2009003756.tif 000006